(57)【要約】【課題】  扉が手入窓を閉鎖している状態と開放している状態との何れの状態においてもフード内の好適な環境が常に維持される保育器を提供する。【解決手段】  扉４４が手入窓４２を閉鎖している状態では、フード３３の二重壁の間を流れている気流３４が内壁の手入窓を介してフード３３内へ進入することをパッキン４７が防止している。このため、気流３４が内壁の手入窓を介してフード３３内へ進入しない。扉４４が手入窓４２を開放している状態では、内壁の手入窓からパッキン４７が離隔しているので、気流３４が内壁の手入窓と外壁の手入窓との間を流れる。このため、手入窓４２にエアカーテンが形成されている。【選択図】  図１
2006204496.tif 000002
【特許請求の範囲】
【請求項１】
被収容児を収容するフードに設けられており内壁及び外壁を有する二重壁と、
この二重壁を貫通している手入窓と、
この手入窓を開放及び閉鎖する扉と、
前記内壁と外壁との間にこれらの内壁及び外壁に沿う気流を形成する送風機と、
前記閉鎖状態では前記内壁の前記手入窓を介する前記フード内への前記気流の進入を防止しており、前記開放状態では前記内壁の前記手入窓から離隔しているパッキンと
を具備する保育器。
【請求項２】
前記パッキンが前記扉に取り付けられており前記開放及び閉鎖に伴って前記内壁の前記手入窓に対して離隔及び接近する請求項１に記載の保育器。
【発明の詳細な説明】
【技術分野】
【０００１】
本発明は、未熟児等にとって好適な環境を実現することができるフード内に未熟児等を収容して、この被収容児を保護及び育成するための保育器に関するものである。
【背景技術】
【０００２】
図５〜７は、本発明の第一従来形態による保育器の全体を示している。この保育器１１では、基台１２上に透明なフード１３が取り付けられており、被収容児１４を寝かせるための臥床架１５がフード１３内に配置されている。フード１３の底面には通気路１６が設けられており、空気の温度や湿度や酸素濃度等を被収容児１４に好適な値に制御する制御器（図示せず）とこの制御された空気の気流１７を通気路１６内に送り込む送風機（図示せず）とが基台１２内に設けられている。
【０００３】
フード１３内の被収容児１４をフード１３外から処置するための処置窓１８がフード１３の一つの側面に設けられており、処置窓１８に対向して処置扉２１が基台１２に取り付けられている。処置扉２１は、その下端近傍の回転軸（図示せず）を中心にして回転することによって処置窓１８を開放及び閉鎖し、処置窓１８を閉鎖している状態にレバー２２によって保持される。処置扉２１は内壁２１ａ及び外壁２１ｂを有する二重壁構造になっており、内壁２１ａと外壁２１ｂとの間が通気路２３になっている。
【０００４】
図６に示されている様に、処置扉２１が処置窓１８を閉鎖している状態では、通気路１６と通気路２３とが互いに連通している。このため、送風機から通気路１６内に送り込まれた気流１７は、通気路１６内と通気路２３内とを順次に通り、フード１３の天井近傍へ放出されてフード１３内の環境を被収容児１４に好適な環境にした後、再び送風機へ循環していく。一方、図７に示されている様に、処置扉２１が処置窓１８を開放している状態では、処置窓１８の閉鎖状態で処置扉２１が位置していた部分へ通気路１６から気流１７が放出される。このため、処置窓１８にエアカーテンが形成されて、処置窓１８を介する被収容児１４への処置中にも処置窓１８を介してフード１３の内側と外側とで空気が入れ代わりにくい。
【０００５】
処置窓１８を開放するまでもなくフード１３内に処置者の手を挿入するだけでフード１３内の被収容児１４をフード１３外から処置することができる場合のために、手入窓２４が処置扉２１等に設けられている。処置扉２１が二重壁構造であるので、手入窓２４も処置扉２１の内壁２１ａ及び外壁２１ｂに夫々形成されている手入窓２４ａ及び手入窓２４ｂを有している。手入窓２４に対向して扉２５が処置扉２１に取り付けられており、扉２５はその側方の回転軸２６を中心にして回転することによって手入窓２４を開放及び閉鎖する。扉２５は、手入窓２４を閉鎖している状態にボタン２７によって保持され、また、ボタン２７を押圧操作されてボタン２７による保持から解放されることによって手入窓２４を開放する。
【０００６】
なお、図５には処置扉２１にしか手入窓２４及び扉２５が図示されていないが、これらと類似の手入窓及び扉が処置扉２１以外のフード１３の側面にも設けられていてもよい。図８は、処置扉２１における手入窓２４及び扉２５並びにその近傍部分を示している。この図８に示されている様に、手入窓２４において通気路２３とフード１３内及びフード１３外とを気密状態に保持するためのパッキン２８が、手入窓２４の周囲に取り付けられている。なお、手入窓２４において通気路２３とフード１３外とを気密状態に保持するだけで手入窓２４における気流１７の流れは実質的に阻害しないパッキンが手入窓２４の周囲に取り付けられている第二従来形態の保育器１１もある。
【発明の開示】
【発明が解決しようとする課題】
【０００７】
しかし、図５〜８に示されている第一従来形態の保育器１１では、上述の様に、手入窓２４において通気路２３とフード１３内及びフード１３外とを気密状態に保持するためのパッキン２８が手入窓２４の周囲に取り付けられている。このため、通気路２３内に送り込まれた気流１７が手入窓２４を迂回して流れて手入窓２４の部分には流れず、扉２５が手入窓２４を開放している状態でも、手入窓２４にはエアカーテンが形成されない。従って、手入窓２４を介してフード１３の内側と外側とで空気が入れ代わり易く、フード１３内の好適な環境がフード１３外の空気によって乱され易くて、フード１３内の好適な環境を維持することが困難である。
【０００８】
これに対して、手入窓２４における気流１７の流れを実質的に阻害しないパッキンが手入窓２４の周囲に取り付けられている第二従来形態の保育器１１では、手入窓２４にもエアカーテンが形成されるので、扉２５が手入窓２４を開放している状態でも、手入窓２４を介してフード１３の内側と外側とで空気が入れ代わりにくく、フード１３外の空気によってはフード１３内の好適な環境が乱されにくい。ところで、上述の様に、通気路１６、２３内を流れる気流は、通気路２３からフード１３の天井近傍へ放出されて、フード１３内の環境を被収容児１４に好適な環境にするが、正確には、臥床架１５上に寝かされる被収容児１４の位置を被収容児１４に好適な環境にする。
【０００９】
一方、保育器１１が設置されている部屋は通常は空調されており、被収容児１４に好適な環境の温度は空調されている部屋の温度よりも一般に高い。このため、通気路１６、２３内に送り込まれた気流１７は、通気路１６、２３内を流れて臥床架１５の位置に到達するまでに冷却される。従って、通気路１６、２３内を流れている気流１７の温度は、被収容児１４に好適な環境の温度よりもまだ高い。そして、手入窓２４における気流１７の流れを実質的に阻害しないパッキンが手入窓２４の周囲に取り付けられている第二従来形態の保育器１１では、扉２５が手入窓２４を閉鎖している状態でも、通気路２３内を流れている高温の気流１７の一部が、処置扉２１の内壁２１ａの手入窓２４ａを介してフード１３内へ進入する。
【００１０】
このため、フード１３内の臥床架１５等の高さ及び傾斜度や臥床架１５上における被収容児１４の位置等によっては、通気路２３内を流れている高温の気流１７の一部が処置扉２１の内壁２１ａの手入窓２４ａを介してフード１３内の被収容児１４の位置へ直接に進入したり、処置扉２１の内壁２１ａの手入窓２４ａを介してフード１３内へ進入する気流１７の量そのものも変動したりする。この結果、第二従来形態の保育器１１では、扉２５が手入窓２４を閉鎖している状態では、フード１３内の好適な環境を維持することが困難である。
【００１１】
つまり、上述の第一及び第二従来形態の保育器１１では、扉２５が手入窓２４を閉鎖している状態と開放している状態との何れの状態においてもフード１３内の好適な環境を常に維持することは困難である。従って、本発明は、扉が手入窓を閉鎖している状態と開放している状態との何れの状態においてもフード内の好適な環境が常に維持される保育器を提供することを目的としている。
【課題を解決するための手段】
【００１２】
請求項１に係る保育器では、扉が手入窓を閉鎖している状態では、フードの二重壁の内壁と外壁との間を流れている気流が内壁の手入窓を介してフード内へ進入することをパッキンが防止している。このため、フード内の臥床架等の高さ及び傾斜度や臥床架上における被収容児の位置等に拘らず、フードの二重壁の内壁と外壁との間を流れている気流が内壁の手入窓を介してフード内の被収容児の位置へ直接に進入せず、内壁の手入窓を介してフード内へ進入する気流の量が変動することもない。
【００１３】
一方、扉が手入窓を開放している状態では、フードの二重壁のうちの内壁の手入窓からパッキンが離隔しているので、フードの二重壁の内壁と外壁との間の気流が内壁の手入窓と外壁の手入窓との間を内壁及び外壁に沿う方向に流れる。このため、手入窓にエアカーテンが形成されており、このエアカーテンのために手入窓を介してフードの内側と外側とで空気が入れ代わりにくい。
【００１４】
請求項２に係る保育器では、パッキンが扉に取り付けられており、扉が手入窓を開放及び閉鎖するのに伴って、フードの二重壁のうちの内壁の手入窓に対してパッキンが離隔及び接近する。このため、内壁の手入窓を介するフード内への気流の進入をパッキンが防止することと、内壁の手入窓からパッキンが離隔することとが、簡単な構造で実現されている。
【発明の効果】
【００１５】
請求項１に係る保育器では、扉が手入窓を閉鎖している状態では、フード内の臥床架等の高さ及び傾斜度や臥床架上における被収容児の位置等に拘らず、フードの二重壁の内壁と外壁との間を流れている気流が内壁の手入窓を介してフード内の被収容児の位置へ直接に進入しないので、特に重要な被収容児の位置におけるフード内の好適な環境が維持される。また、フード内の臥床架等の高さ及び傾斜度や臥床架上における被収容児の位置等に拘らず、内壁の手入窓を介してフード内へ進入する気流の量が変動することもないので、フード内の好適な環境が乱されず、フード内の好適な環境が維持される。
【００１６】
一方、扉が手入窓を開放している状態では、エアカーテンのために手入窓を介してフードの内側と外側とで空気が入れ代わりにくいので、フード内の好適な環境がフード外の空気によって乱されにくく、フード内の好適な環境が維持される。従って、扉が手入窓を閉鎖している状態と開放している状態との何れの状態においても、フード内の好適な環境が常に維持される。
【００１７】
請求項２に係る保育器では、フードの二重壁のうちの内壁の手入窓を介するフード内への気流の進入をパッキンが防止することと、内壁の手入窓からパッキンが離隔することとが、簡単な構造で実現されているので、製造コストが低い。
【発明を実施するための最良の形態】
【００１８】
以下、本発明の一実施形態を、図１〜４を参照しながら説明する。図１に示されている様に、本実施形態による保育器３１でも、基台３２上に透明なフード３３が取り付けられており、被収容児（図示せず）を寝かせるための臥床架（図示せず）がフード３３内に配置されている。フード３３の底面には通気路（図示せず）が設けられており、空気の温度や湿度や酸素濃度等を被収容児に好適な値に制御する制御器（図示せず）とこの制御された空気の気流３４を通気路内に送り込む送風機（図示せず）とが基台３２内に設けられている。
【００１９】
フード３３内の被収容児をフード３３外から処置するための処置窓３５がフード３３の一つの側面に設けられており、処置窓３５に対向して処置扉３６が基台３２に取り付けられている。処置扉３６は、回転軸３７を中心にして回転することによって処置窓３５を開放及び閉鎖し、その両端で且つ上端の角部近傍における突起部３８（図４）がフード３３の係合部（図示せず）に係合されることによって、処置窓３５を閉鎖している状態に保持される。図２〜４に示されている様に、処置扉３６は内壁３６ａ及び外壁３６ｂを有する二重壁構造になっており、内壁３６ａと外壁３６ｂとの間が通気路４１になっている。
【００２０】
本実施形態の保育器３１でも、上述の第一従来形態の保育器１１と同様に、処置扉３６が処置窓３５を閉鎖している状態では、フード３３の底面の通気路と通気路４１とが互いに連通している。このため、送風機からフード３３の底面の通気路内に送り込まれた気流３４は、この通気路内と通気路４１内とを順次に通り、フード３３の天井近傍へ放出されてフード３３内の環境を被収容児に好適な環境にした後、再び送風機へ循環していく。
【００２１】
また、処置扉３６が処置窓３５を開放している状態では、処置窓３５の閉鎖状態で処置扉３６が位置していた部分へフード３３の底面の通気路から気流３４が放出される。このため、処置窓３５にエアカーテンが形成されて、処置窓３５を介する被収容児への処置中にも処置窓３５を介してフード３３の内側と外側とで空気が入れ代わりにくい。処置窓３５を開放するまでもなくフード３３内に処置者の手を挿入するだけでフード３３内の被収容児をフード３３外から処置することができる場合のために、手入窓４２が処置扉３６等に設けられている。処置扉３６が二重壁構造であるので、手入窓４２も処置扉３６の内壁３６ａ及び外壁３６ｂに夫々形成されている手入窓４２ａ及び手入窓４２ｂを有している。
【００２２】
処置扉３６の内壁３６ａの手入窓４２ａには、被収容児の手足等の接触による負傷を防止するために、ゴム等の柔軟な材料製の保護リング４３が取り付けられている。手入窓４２に対向して扉４４が処置扉３６に取り付けられており、扉４４はその側方の回転軸４５を中心にして回転することによって手入窓４２を開放及び閉鎖する。扉４４は、手入窓４２を閉鎖している状態にボタン４６によって保持され、また、ボタン４６を押圧操作されてボタン４６による保持から解放されることによって手入窓４２を開放する。なお、図１には処置扉３６にしか手入窓４２及び扉４４が図示されていないが、これらと類似の手入窓及び扉が処置扉３６以外のフード３３の側面にも設けられていてもよい。
【００２３】
図２、３は、処置扉３６における手入窓４２及び扉４４並びにその近傍部分を示している。扉４４の内面の周囲にはゴム等の柔軟な材料製のパッキン４７が取り付けられており、パッキン４７の外周部には二段の突起部４７ａ、４７ｂが設けられている。上述の様に扉４４は回転軸４５を中心にして回転することによって手入窓４２を開放及び閉鎖し、パッキン４７が扉４４に取り付けられている。このため、扉４４が手入窓４２を開放及び閉鎖するのに伴って、パッキン４７が手入窓４２に対して離隔及び接近する。
【００２４】
この結果、図２に示されている様に、扉４４が手入窓４２を閉鎖している状態では、パッキン４７の突起部４７ａ、４７ｂが処置扉３６の内壁３６ａ及び外壁３６ｂの夫々の外面に接触して、手入窓４２において通気路４１とフード３３内及びフード３３外とを気密状態に保持している。これに対して、図３に示されている様に、扉４４が手入窓４２を開放している状態では、パッキン４７は手入窓４２内には位置していない。
【００２５】
従って、扉４４が手入窓４２を閉鎖している状態では、図４（ａ）に示されている様に、通気路４１内に送り込まれた気流３４は手入窓４２を迂回して流れ、通気路４１内を流れている気流３４が処置扉３６の内壁３６ａの手入窓４２ａを介してフード３３内へ進入することをパッキン４７が防止している。このため、フード３３内の臥床架等の高さ及び傾斜度や臥床架上における被収容児の位置等に拘らず、通気路４１内を流れている気流３４が処置扉３６の内壁３６ａの手入窓４２ａを介してフード３３内の被収容児の位置へ直接に進入しないので、特に重要な被収容児の位置におけるフード３３内の好適な環境が維持される。
【００２６】
また、フード３３内の臥床架等の高さ及び傾斜度や臥床架上における被収容児の位置等に拘らず、処置扉３６の内壁３６ａの手入窓４２ａを介してフード３３内へ進入する気流３４の量が変動することもないので、フード３３内の好適な環境が乱されず、フード３３内の好適な環境が維持される。
【００２７】
一方、図３に示されている様に、扉４４が手入窓４２を開放している状態では、パッキン４７が手入窓４２から離隔しているので、通気路４１内の気流３４が処置扉３６の内壁３６ａの手入窓４２ａと外壁３６ｂの手入窓４２ｂとの間を内壁３６ａ及び外壁３６ｂに沿う方向に流れる。このため、手入窓４２にエアカーテンが形成されており、このエアカーテンのために手入窓４２を介してフード３３の内側と外側とで空気が入れ代わりにくい。この結果、フード３３内の好適な環境がフード３３外の空気によって乱されにくく、フード３３内の好適な環境が維持される。
【００２８】
従って、本実施形態の保育器３１では、扉４４が手入窓４２を閉鎖している状態と開放している状態との何れの状態においても、フード３３内の好適な環境が常に維持される。なお、以上の実施形態の保育器３１では、上述の様に、扉４４が手入窓４２を閉鎖している状態では、パッキン４７の突起部４７ａが処置扉３６の内壁３６ａの外面に接触して、手入窓４２において通気路４１とフード３３内とを気密状態に保持している。しかし、通気路４１内を流れている気流３４が処置扉３６の内壁３６ａの手入窓４２ａを介してフード３３内へ進入することをパッキン４７が実質的に防止できればよいので、例えば、パッキン４７の突起部４７ａが処置扉３６の内壁３６ａの外面に近接するだけで接触しなくてもよい。
【００２９】
また、以上の実施形態の保育器３１では、上述の様に、扉４４は回転軸４５を中心にして回転することによって手入窓４２を開放及び閉鎖し、パッキン４７が扉４４に取り付けられている。このため、簡単な構造であるにも拘らず、扉４４が手入窓４２を開放及び閉鎖するのに伴って、パッキン４７が手入窓４２に対して離隔及び接近する。
【００３０】
しかし、扉４４による手入窓４２の閉鎖状態では処置扉３６の内壁３６ａの手入窓４２ａを介するフード３３内への気流３４の進入を防止し、扉４４による手入窓４２の開放状態では処置扉３６の内壁３６ａの手入窓４２ａからパッキン４７が離隔していればよい。従って、例えば、扉４４による手入窓４２の閉鎖及び開放に同期してパッキン４７が処置扉３６の内壁３６ａの手入窓４２ａを介するフード３３内への気流３４の進入を防止することとパッキン４７が処置扉３６の内壁３６ａの手入窓４２ａから離隔することとが可能なその他の機構が用いられてもよい。
【産業上の利用可能性】
【００３１】
本発明は、フード内に未熟児等を収容してこの被収容児を保護及び育成するための保育器に利用することができる。
【図面の簡単な説明】
【００３２】
【図１】本発明の一実施形態の全体を示す斜視図である。
【図２】本発明の一実施形態の要部を示しており、扉が手入窓を閉鎖している状態の図面である。
【図３】本発明の一実施形態の要部を示しており、扉が手入窓を開放している状態の図面である。
【図４】二重壁中の気流の状態を示しており、（ａ）は扉が手入窓を閉鎖している状態、（ｂ）は扉が手入窓を開放している状態の図面である。
【図５】本発明の第一従来形態の全体を示す正面図である。
【図６】本発明の第一従来形態の全体を示しており、処置扉が処置窓を閉鎖している状態の断面図である。
【図７】本発明の第一従来形態の全体を示しており、処置扉が処置窓を開放している状態の断面図である。
【図８】本発明の第一従来形態の要部を示す断面図である。
【符号の説明】
【００３３】
３１    保育器
３３    フード
３４    気流
３６    処置扉（二重壁）
３６ａ  内壁
３６ｂ  外壁
４２    手入窓
４２ａ  手入窓（内壁の手入窓）
４４    扉
４７    パッキン
【図１】
2006204496.tif 000003
【図２】
2006204496.tif 000004
【図３】
2006204496.tif 000005
【図４】
2006204496.tif 000006
【図５】
2006204496.tif 000007
【図６】
2006204496.tif 000008
【図７】
2006204496.tif 000009
【図８】
2006204496.tif 000010